(57)【要約】【課題】  ユーザーが使用環境又は使用条件に応じてスライドレールアセンブリのプッシュオープン機能を有効又は無効することができる、スイッチを備えたスライドレールアセンブリを提供すること。【解決手段】  スライドレールアセンブリは、第１のレールと、第２のレールと、第１の駆動装置と、第２の駆動装置と、スイッチとを含む。第２のレールは第１のレールに対して可動である。第１の駆動装置は、第２のレールが後退位置で第１の方向に沿って押圧された場合に、第２のレールが第１のレールに対して開くよう駆動するように構成されている。第２の駆動装置は、第２のレールが第１の方向に沿って開位置から所定の位置に動かされた場合に第２のレールが前記第１のレールに対して閉まるよう駆動するように構成されている。スイッチは第１の状態で前記第１の駆動装置を有効にし、第２の状態で前記第１の駆動装置を無効にするように構成されている。【選択図】  図１
2018153608.tif 000002
【特許請求の範囲】
【請求項１】
第１のレールと、
前記第１のレールに対して可動な第２のレールと、
前記第２のレールが後退位置で第１の方向に沿って押圧された場合に、前記第２のレールが前記第１のレールに対して開くよう駆動するように構成された第１の駆動装置と、
前記第２のレールが第１の方向に沿って開位置から所定の位置に動かされた場合に前記第２のレールが前記第１のレールに対して閉まるよう駆動するように構成された第２の駆動装置と、
第１の状態で前記第１の駆動装置を有効にし、第２の状態で前記第１の駆動装置を無効にするように構成されたスイッチと、
を含むスライドレールアセンブリ。
【請求項２】
前記第１の駆動装置は前記第２のレールに配置され、前記第１の駆動装置は第１の弾性部材及びロック機構を含み、前記第１の弾性部材は、前記第１の方向とは反対の方向に沿って第１の弾性力を提供するように構成され、前記ロック機構はロック状態と非ロック状態との間で動作するように構成され、前記ロック機構がロック状態にある場合、前記第１の弾性部材は第１の弾性力を蓄積し、前記ロック機構が非ロック状態にある場合、前記第１の弾性部材は第１の弾性力を放つ、請求項１に記載のスライドレールアセンブリ。
【請求項３】
前記第２の駆動装置は前記第２のレールに配置され、前記第２の駆動装置は第２の弾性部材、ガイド機構及び捕捉機構を含み、前記第２の弾性部材は前記第１の方向と同じ方向に沿って第２の弾性力を提供するように構成され、前記第１のレールには固定部が固定配置され、前記ガイド機構は第１の経路と、該第１の経路に対して偏向した第２の経路とを有し、前記捕捉機構が前記ガイド機構の第１の経路内に位置する場合、前記固定部が前記捕捉機構に捕捉され、前記捕捉機構が前記ガイド機構の第２の経路内に位置する場合、前記捕捉機構は前記固定部から外れている、請求項１に記載のスライドレールアセンブリ。
【請求項４】
前記スイッチは前記第２のレールに可動に取り付けられ、前記第１のレールは当接機構を含み、前記スイッチが第１の状態にある場合、前記第１の駆動装置を有効にするために前記スイッチと前記当接機構との間に所定の間隙が形成され、前記スイッチが第２の状態にある場合、前記スイッチは前記第１の駆動装置を無効にするために前記当接機構と当接するか又は前記当接機構に隣接する、請求項１に記載のスライドレールアセンブリ。
【請求項５】
前記第２のレールに取り付けられたベースをさらに含み、前記第２のレールには前記ベースが貫通できるように開口が形成され、前記スイッチは前記ベースに可動に取り付けられている、請求項４に記載のスライドレールアセンブリ。
【請求項６】
前記スイッチは手動スイッチである、請求項１に記載のスライドレールアセンブリ。
【請求項７】
家具アセンブリの第１の家具部に取り付けられるように構成された第１のレールと、
前記第１のレールに対して可動な第２のレールであって、前記第２のレールは前記家具アセンブリの第２の家具部を運ぶように構成されている、第２のレールと、
前記第２の家具部が後退位置で第１の方向に沿って押圧された場合に前記第２の家具部が前記第１の家具部に対して開くように駆動するように構成された第１の駆動装置と、
前記第２の家具部が第１の方向に沿って開位置から所定の位置に動かされた場合に、前記第２の家具部が前記第１の家具部に対して閉まるよう駆動するように構成された第２の駆動装置と、
第１の状態で前記第１の駆動装置を有効にし、第２の状態で前記第１の駆動装置を無効にするように構成されたスイッチと、
を含むスライドレールアセンブリ。
【請求項８】
前記第１の駆動装置は前記第２のレールに配置され、前記第１の駆動装置は第１の弾性部材及びロック機構を含み、前記第１の弾性部材は、前記第１の方向と反対の方向に沿って第１の弾性力を提供するように構成され、前記ロック機構はロック状態と非ロック状態との間で動作するように構成され、前記ロック機構がロック状態にある場合、前記第１の弾性部材は第１の弾性力を蓄積し、前記ロック機構が非ロック状態にある場合、前記第１の弾性部材は第１の弾性力を放つ、請求項７に記載のスライドレールアセンブリ。
【請求項９】
前記第２の駆動装置は前記第２のレールに配置され、前記第２の駆動装置は第２の弾性部材、ガイド機構及び捕捉機構を含み、前記第２の弾性部材は前記第１の方向と同じ方向に沿って第２の弾性力を提供するように構成され、前記第１のレールには固定部が固定配置され、前記ガイド機構は第１の経路と、該第１の経路に対して偏向した第２の経路とを有し、前記捕捉機構が前記ガイド機構の第１の経路内に位置する場合、前記固定部が前記捕捉機構に捕捉され、前記捕捉機構が前記ガイド機構の第２の経路内に位置する場合、前記捕捉機構は前記固定部から外れている、請求項７に記載のスライドレールアセンブリ。
【請求項１０】
前記スイッチは前記第２のレールに可動に取り付けられ、前記第１のレールは当接機構を含み、前記スイッチが第１の状態にある場合、前記第１の駆動装置を有効にするために前記スイッチと前記当接機構との間に所定の間隙が形成され、前記スイッチが第２の状態にある場合、前記スイッチは前記第１の駆動装置を無効にするために前記当接機構と当接するか又は前記当接機構に隣接する、請求項７に記載のスライドレールアセンブリ。
【請求項１１】
前記第２のレールに取り付けられたベースをさらに含み、前記第２のレールには前記ベースが貫通できるように開口が形成され、前記スイッチは前記ベースに可動に取り付けられている、請求項１０に記載のスライドレールアセンブリ。
【請求項１２】
第１のレールと、
前記第１のレールに対して可動な第２のレールと、
前記第２のレールが後退位置で第１の方向に沿って押圧された場合に、前記第２のレールが前記第１のレールに対して開くように駆動するよう構成された第１の駆動装置と、
前記第２のレールに動作可能に連結されたスイッチであって、該スイッチは第１の状態と第２の状態との間で動作するように構成され、該スイッチは第１の状態にある場合に前記第１の駆動装置を有効にするように構成され、該スイッチは第２の状態にある場合に、前記第１の駆動装置を無効にするように構成されている、スイッチと、
を含むスライドレールアセンブリ。
【請求項１３】
前記第１のレールと前記第２のレールとの間で可動に配置された第３のレールと、前記第２のレールが前記第１の方向に沿って開位置から所定の位置に動かされた場合、前記第２のレールが前記第１のレールに対して閉まるように駆動するよう構成された第２の駆動装置とをさらに含む、請求項１２に記載のスライドレールアセンブリ。
【請求項１４】
前記第１の駆動装置は前記第２のレールに配置され、前記第１の駆動装置は第１の弾性部材及びロック機構を含み、前記第１の弾性部材は、前記第１の方向と反対の方向に第１の弾性力を提供するように構成され、前記ロック機構はロック状態と非ロック状態との間で動作するように構成され、前記ロック機構がロック状態にある場合、前記第１の弾性部材は第１の弾性力を蓄積し、前記ロック機構が非ロック状態にある場合、前記第１の弾性部材は第１の弾性力を放つ、請求項１２に記載のスライドレールアセンブリ。
【請求項１５】
前記第２の駆動装置は前記第２のレールに配置され、前記第２の駆動装置は第２の弾性部材、ガイド機構及び捕捉機構を含み、前記第２の弾性部材は前記第１の方向と同じ方向に沿って第２の弾性力を提供するように構成され、前記第１のレールには固定部が固定配置され、前記ガイド機構は第１の経路と、該第１の経路に対して偏向した第２の経路とを有し、前記捕捉機構が前記ガイド機構の第１の経路内に位置する場合、前記固定部が前記捕捉機構に捕捉され、前記捕捉機構が前記ガイド機構の第２の経路内に位置する場合、前記捕捉機構は前記固定部から外れている、請求項１３に記載のスライドレールアセンブリ。
【請求項１６】
前記第１のレールは当接機構を含み、前記スイッチが第１の状態にある場合、前記第１の駆動装置を有効にするために前記スイッチと前記当接機構との間に所定の間隙が形成され、前記スイッチが第２の状態にある場合、前記スイッチは前記第１の駆動装置を無効にするために前記当接機構と当接するか又は前記当接機構に隣接する、請求項１２に記載のスライドレールアセンブリ。
【請求項１７】
前記第２のレールに取り付けられたベースをさらに含み、前記第２のレールには前記ベースが貫通できるように開口が形成され、前記スイッチは前記ベースに可動に取り付けられている、請求項１６に記載のスライドレールアセンブリ。
【請求項１８】
前記スイッチは手動スイッチである、請求項１２に記載のスライドレールアセンブリ。
【請求項１９】
前記第１のレールは第１の家具部に取り付けられ、前記第２のレールは第２の家具部を運ぶように構成されている、請求項１２に記載のスライドレールアセンブリ。
【請求項２０】
前記第１の家具部はキャビネットであり、前記第２の家具部は引き出しである、請求項１９に記載のスライドレールアセンブリ。
【発明の詳細な説明】
【技術分野】
【０００１】
本発明はスライドレールアセンブリに関し、より具体的にはスイッチを備えたスライドレールアセンブリに関する。スライドレールアセンブリはプッシュオープン機能及び自閉機能を有し、ユーザーはスイッチによりスライドレールアセンブリのプッシュオープン機能を使用環境又は使用条件に応じて有効又は無効にすることができる。
【背景技術】
【０００２】
特許文献１にはプッシュオープン機能及び自閉機能を有するスライドレールアセンブリが開示されている。
【０００３】
プッシュオープン機能を有するスライドレールアセンブリを介して引き出しがキャビネットに取り付けられ、引き出しがキャビネット内に引っ込められている場合、引き出しの前方パネルとキャビネットとの間に明らかな押圧間隙がある。押圧間隙は、ユーザーが引き出しを押してキャビネットに対して動かすことができ、スライドレールアセンブリに配置された押圧放出（push-ejection）機構によりキャビネットに対して引き出しを開けることができる。プッシュオープン型の引き出しは引き出しの前面パネルに追加のハンドグリップを設ける必要がないため、引き出しの前面パネルが平らできれいな外観を有することができる。他方、所謂自閉スライドレールアセンブリは、引き出しがキャビネット内に押し込まれる際の最後のプロセスでスライドレールアセンブリの自閉機構により開いた引き出しをキャビネットに対して後退させることができる。
【先行技術文献】
【特許文献】
【０００４】
【特許文献１】米国特許第８１７２３４５号明細書
【特許文献２】米国特許第８１００４８７号明細書
【発明の概要】
【発明が解決しようとする課題】
【０００５】
プッシュオープン機能及び自閉機能を有するスライドレールアセンブリにより、ユーザーは引き出しを便利に開閉することができる。しかしながら、プッシュオープン機能を有するスライドレールアセンブリは、引き出しとキャビネットとの間に明らかな押圧間隙を有し得るため、引き出しに埃、虫又は他の異物が簡単に入り易い。さらに、プッシュオープン機能を有するスライドレールアセンブリはロックする必要がある引き出しには適していない。
【０００６】
本発明は、ユーザーが使用環境又は使用条件に応じてスライドレールアセンブリのプッシュオープン機能を有効又は無効することができる、スイッチを備えたスライドレールアセンブリに関する。
【課題を解決するための手段】
【０００７】
本発明の一実施形態によれば、スライドレールアセンブリは、第１のレールと、前記第１のレールに対して可動な第２のレールと、前記第２のレールが後退位置で第１の方向に沿って押圧された場合に、前記第２のレールが前記第１のレールに対して開くよう駆動するように構成された第１の駆動装置と、前記第２のレールが第１の方向に沿って開位置から所定の位置に動かされた場合に前記第２のレールが前記第１のレールに対して閉まるよう駆動するように構成された第２の駆動装置と、第１の状態で前記第１の駆動装置を有効にし、第２の状態で前記第１の駆動装置を無効にするように構成されたスイッチと、を含む。
【０００８】
前記第１の駆動装置は前記第２のレールに配置されていることが好ましい。前記第１の駆動装置は第１の弾性部材及びロック機構を含む。前記第１の弾性部材は、前記第１の方向とは反対の方向に沿って第１の弾性力を提供するように構成されている。前記ロック機構はロック状態と非ロック状態との間で動作するように構成されている。前記ロック機構がロック状態にある場合、前記第１の弾性部材は第１の弾性力を蓄積する。前記ロック機構が非ロック状態にある場合、前記第１の弾性部材は第１の弾性力を放つ。
【０００９】
前記第２の駆動装置は前記第２のレールに配置されていることが好ましい。前記第２の駆動装置は第２の弾性部材、ガイド機構及び捕捉機構を含む。前記第２の弾性部材は前記第１の方向と同じ方向に沿って第２の弾性力を提供するように構成されている。前記第１のレールには固定部が固定配置され、前記ガイド機構は第１の経路と、該第１の経路に対して偏向した第２の経路とを有する。前記捕捉機構が前記ガイド機構の第１の経路内に位置する場合、前記固定部が前記捕捉機構に捕捉される。前記捕捉機構が前記ガイド機構の第２の経路内に位置する場合、前記捕捉機構は前記固定部から外れている。
【００１０】
前記スイッチは前記第２のレールに可動に取り付けられていることが好ましい。前記第１のレールは当接機構を含む。前記スイッチが第１の状態にある場合、前記第１の駆動装置を有効にするために前記スイッチと前記当接機構との間に所定の間隙が形成されている。前記スイッチが第２の状態にある場合、前記スイッチは前記第１の駆動装置を無効にするために前記当接機構と当接するか又は前記当接機構に隣接する。
【００１１】
前記第２のレールに取り付けられたベースをさらに含むことが好ましい。前記第２のレールには前記ベースが貫通できるように開口が形成されている。前記スイッチは前記ベースに可動に取り付けられている。
【００１２】
前記スイッチは手動スイッチであることが好ましい。
【００１３】
本発明の別の実施形態によれば、スライドレールアセンブリは家具アセンブリの第１の家具部に取り付けられるように構成された第１のレールと、前記第１のレールに対して可動な第２のレールであって、前記第２のレールは前記家具アセンブリの第２の家具部を運ぶように構成されている、第２のレールと、前記第２の家具部が後退位置で第１の方向に沿って押圧された場合に前記第２の家具部が前記第１の家具部に対して開くように駆動するように構成された第１の駆動装置と、前記第２の家具部が第１の方向に沿って開位置から所定の位置に動かされた場合に、前記第２の家具部が前記第１の家具部に対して閉まるよう駆動するように構成された第２の駆動装置と、第１の状態で前記第１の駆動装置を有効にし、第２の状態で前記第１の駆動装置を無効にするように構成されたスイッチと、を含む。
【００１４】
本発明の別の実施形態によれば、スライドレールアセンブリは第１のレールと、前記第１のレールに対して可動な第２のレールと、前記第２のレールが後退位置で第１の方向に沿って押圧された場合に、前記第２のレールが前記第１のレールに対して開くように駆動するよう構成された第１の駆動装置と、前記第２のレールに動作可能に連結されたスイッチであって、該スイッチは第１の状態と第２の状態との間で動作するように構成されたスイッチとを含む。スイッチは第１の状態にある場合に前記第１の駆動装置を有効にするように構成されている。スイッチは第２の状態にある場合に、前記第１の駆動装置を無効にするように構成されている。
【００１５】
前記第１のレールと前記第２のレールとの間で可動に配置された第３のレールと、前記第２のレールが前記第１の方向に沿って開位置から所定の位置に動かされた場合、前記第２のレールが前記第１のレールに対して閉まるように駆動するよう構成された第２の駆動装置とをさらに含む。
【００１６】
スライドレールアセンブリは、前記第２のレールが前記第１の方向に沿って開位置から所定の位置に動かされた場合、前記第２のレールが前記第１のレールに対して閉まるように駆動するよう構成された第２の駆動装置をさらに含むことが好ましい。
【００１７】
前記第１のレールは第１の家具部に取り付けられることが好ましい。前記第２のレールは第２の家具部を運ぶように構成されている。
【００１８】
前記第１の家具部はキャビネットであり、前記第２の家具部は引き出しであることが好ましい。
【００１９】
様々な図面に図示する下記の好ましい実施形態の詳細な説明を読み終えた後、本発明の上記の目的及び他の目的が当業者に間違いなく明らかになる。
【図面の簡単な説明】
【００２０】
添付の図面は実施形態のさらなる理解を提供するために含まれるとともに、本明細書に組み込まれてその一部を構成する。図面は実施形態の一部を図示し、発明の詳細な説明と共にそれらの原理を説明する役割を果たす。
【図１】図１は、本発明の一実施形態に係る第１の家具部及び第２の家具部に適用されたスライドレールアセンブリを示す図であり、第２の家具部は第１の家具部に対して開いている。
【図２】図２は、開いた第２の家具部がない状態の図１のスライドレールアセンブリを示す図である。
【図３】図３は、本発明の一実施形態に係るスライドレールアセンブリを示す図である。
【図４】図４は、本発明の一実施形態に係るスライドレールアセンブリの分解図である。
【図５】図５は、本発明の一実施形態に係る第１の状態にあるスライドレールアセンブリのスイッチを示す図である。
【図６】図６は、本発明の一実施形態に係る第２の状態にあるスライドレールアセンブリのスイッチを示す図である。
【図７】図７は、本発明の一実施形態に係る、第１の家具部と閉じた状態の第２の家具部とを含む家具アセンブリを示す図である。
【図８】図８は、図７の家具アセンブリの側面図である。
【図９】図９は、本発明の一実施形態に係る、第１の家具部に対して後退位置に位置する家具アセンブリの第２の家具部を示す図であり、スイッチは第１の状態にある。
【図１０】図１０は、第１の方向に沿って第２の家具部に加えられた押圧力を示す図である。
【図１１】図１１は、第１の駆動装置により、第１の家具部に対して第２の方向に沿って押し出されて開く第２の家具部を示す図である。
【図１２】図１２は、第１の方向に沿って開位置から第１の位置に動かされた第２の家具部を示す図である。
【図１３】図１３は、第１の方向に沿って開位置から第２の位置に動かされた第２の家具部を示す図である。
【図１４】図１４は、本発明の一実施形態に係る、第１の家具部に対して後退位置に位置する家具アセンブリの第２の家具部を示す図であり、スイッチは第２の状態にある。
【図１５】図１５は、後退位置から第２の方向に沿って開けられて動いた第２の家具部を示す図である。
【発明を実施するための形態】
【００２１】
図１及び図２は、本発明の一実施形態に係る、第１の家具部２２及び第２の家具部２４を含む家具アセンブリ２０を示す。本実施形態では、第１の家具部２２がキャビネットであり、第２の家具部２４が引き出しであるが、本発明はこの構成に限定されない。一対のスライドレールアセンブリ２６を援用して、第２の家具部２４が第１の家具部２２に対して可動であることが好ましい。
【００２２】
具体的には、各スライドレールアセンブリ２６は、第１のレール２８と、第１のレール２８に対して可動な第２のレール３０とを含む。スライドレールアセンブリ２６は、第１のレール２８に対する第２のレール３０の移動距離を伸長するために第１のレール２８と第２のレール３０との間で可動に配置された第３のレール３２をさらに含むことが好ましい。第１のレール２８は第１の家具部２２に取り付けられているため、第１のレール２８を第１の家具部２２の一部として見なすことができる。他方、第２のレール３０は第２の家具部２４を運搬するために第２の家具部２４に取り付けられているため、第２のレール３０を第２の家具部２４の一部として見なすことができる。第１のレール２８は拡張部３４を含み、第２のレール３０は運搬部３６を含むことが好ましい。
【００２３】
図３に示すように、第２のレール３０は第１のレール２８に対して後退位置Ｒに位置している。第２のレール３０が後退位置Ｒにある場合、第２のレール３０の運搬部３６の位置は第１のレール２８の拡張部３４に実質的に対応する。
【００２４】
図４に示すように、スライドレールアセンブリ２６はスイッチ３８をさらに含む。スイッチ３８は手動式スイッチであり、スライドレールアセンブリ２６の第１のレール２８及び第２のレール３０の一方に動作可能に連結されていることが好ましい。本実施形態では、スイッチ３８は第２のレール３０に動作可能に連結されている。スライドレールアセンブリ２６は第２のレール３０に取り付けられたベース４０をさらに含むことが好ましい。第２のレール３０の運搬部３６には開口４２が形成され、ベース４０は開口４２を貫通することができる。ベース４０は、リベット留め、ネジ、係合又は溶接により第２のレール３０に固定できる。そのため、ベース４０を第２のレール３０の一部として見なすことができる。または、ベース４０を第２のレール３０に直接且つ一体的に形成してもよいが、本発明はそのような構成に限定されない。
【００２５】
スイッチ３８を第２のレール３０のベース４０に可動に取り付けてもよいし（例えば枢結）、スイッチ３８を第２のレール３０のベース４０に着脱可動に取り付けてもよいが、本発明はこれらの構成に限定されない。他方、第１のレール２８は当接機構４４を含む。当接機構４４は第１のレール２８に取り付けられた要素でもあってもよいし、当接機構４４を第１のレール２８に直接形成してもよい。本実施形態では、当接機構４４は拡張部３４に位置する壁部構造として形成されている。
【００２６】
図５及び図６に示すように、スイッチ３８は第２のレール３０に対して第１の状態Ｓ１と第２の状態Ｓ２との間で操作されるように構成されている。
【００２７】
図７及び図８に示すように、第２の家具部２４が第１の家具部２２に対してプッシュオープンモードで配置され且つ後退位置Ｒに位置している場合、押圧間隙を形成するために第２の家具部２４と第１の家具部２２との間に距離Ｄが定義されており、ユーザーは、第１の家具部２２に対して第２の家具部２４を開けることができるように第２の家具部２４を押して第１の家具部２２に対して動かすことができる。
【００２８】
図９に示すように、スライドレールアセンブリ２６は第１の駆動装置４６及び第２の駆動装置４８を含む。第１の駆動装置４６は第２のレール３０に配置されている。第１の駆動装置４６は第２のレール３０に配置されている。第１の駆動装置４６は第１の弾性部材５０及びロック機構５２を含む。第１の弾性部材５０は第１の弾性力Ｆ１を提供するように構成されている。ロック機構５２はロック状態と非ロック状態との間で動作するように構成されている。ロック機構５２がロック状態にある場合、第１の弾性部材５０は第１の弾性力Ｆ１を蓄積する。ロック機構５２が非ロック状態にある場合、第１の弾性部材５０は第１の弾性力Ｆ１を放つ。具体的には、第２の家具部２４が第１の家具部２２に対して後退位置Ｒに位置し、第２の家具部２４と第１の家具部２２との間に押圧間隙が存在する場合に、ロック機構５２はロック状態にある。
【００２９】
第２の駆動装置４８も第２のレール３０に配置されている。第２の駆動装置４８は第２の弾性部材５４、ガイド機構５８及び捕捉機構６０を含む。第２の弾性部材５４は第２の弾性力Ｆ２を提供するように構成されている。第２の弾性力Ｆ２の方向は第１の弾性力Ｆ１の方向と逆方向である。固定部５６は第１のレール２８に固定配置されている。固定部５６は図４に示す固定ピンであり得る。ガイド機構５８は第１の経路６２ａと、第１の経路６２ａに対して偏向した第２の経路６２ｂとを有する。捕捉機構６０がガイド機構５８の第１の経路６２ａ内に位置している場合、固定部５６は捕捉機構６０によって捕捉されている。捕捉機構６０がガイド機構５８の第２の経路６２ｂ内に位置している場合、捕捉機構６０は固定部５６から外れている（図１１を参照されたい）。具体的には、第２の家具部２４が第１の家具部２２に対して後退位置Ｒに位置し、第２の家具部２４と第１の家具部２２との間に押圧間隙が存在している場合に、捕捉機構６０がガイド機構５８の第１の経路６２ａに位置し、固定部５６が捕捉機構６０によって捕捉されている。その間、第２の弾性部材５４は初期状態で第２の弾性力Ｆ２を蓄積する。
【００３０】
第２の家具部２４（又は第２のレール３０）が第１の家具部２２（又は第１のレール２８）に対して後退位置Ｒに位置し、スイッチ３８が第１の状態Ｓ１にある場合に、スイッチ３８と第１のレール２８の当接機構４４との間に所定の間隙Ｇが形成されていることが好ましい。所定の間隙Ｇは押圧間隙（距離Ｄ）と実質的に等しい。そのため、第１の駆動装置４６が有効にされる。
【００３１】
図１０及び図１１に示すように、ユーザーが第１の方向Ｄ１に沿って第２の家具部２４（又は第２のレール３０）に押圧力Ｆを加えると、第１の駆動装置４６のロック機構５２が動作してロック状態から非ロック状態に切り替わる。押圧力Ｆが第２の家具部２４にもはや加えられていない場合、第２の家具部２４が第１の家具部２２に対して開けられて第２の方向Ｄ２に沿って第１の家具部２２に対して伸長距離Ｌ移動するように第１の駆動装置４６の第１の弾性部材５０は第１の弾性力Ｆ１を放つ。これが所謂「プッシュオープン」機能である。第２の方向Ｄ２は第１の方向Ｄ１と逆方向であり、第１の駆動装置４６の第１の弾性力Ｆ１の方向は第１の方向Ｄ１と逆方向である。
【００３２】
プッシュオープン工程では、第２の駆動装置４８の捕捉機構６０がガイド機構５８の第１の経路６２ａから第２の経路６２ｂに動かされる。捕捉機構６０がガイド機構５８の第２の経路６２ｂに位置している場合、捕捉機構６０は固定部５６から外れている。そのため、第２の弾性部材５４の第２の弾性力Ｆ２が増大する。
【００３３】
図１２及び図１３に示すように、ユーザーが第２の家具部２４（又は第２のレール３０）を押して、第１の家具部２２（又は第１のレール２８）に対して開位置から所定の位置Ｐに第１の方向Ｄ１（即ち、後退方向）に沿って動かすと、第１のレール２８に配置された固定部５６が第２の駆動装置４８の捕捉機構６０によって捕捉され、第２の弾性部材５４が即座に第２の弾性力Ｆ２を放ち、第２の家具部２４（又は第２のレール３０）を駆動して第１の家具部２２（又は第１のレール２８）に対して閉まるようにする。これは所謂自閉機能である。第２の駆動装置４８の第２の弾性力Ｄ２の方向は第１の方向Ｄ１と同じである。
【００３４】
図１４及び図１５に示すように、第２の家具部２４（又は第２のレール３０）が第１の家具部２２（又は第１のレール２８）に対して後退位置に位置し、スイッチ３８が第２の状態Ｓ２にある場合、スイッチ３８は第１のレール２８の当接機構４４と当接するか又は当接機構４４に隣接するため、第２の家具部２４（又は第２のレール３０）を第１の家具部２２（又は第１のレール２８）に対して押して開けることができない。即ち、スイッチ３８が操作されて第２の状態Ｓ２にある場合、第１の駆動装置４６は無効であるのに対して第２の駆動装置４８は依然として有効である。したがって、スライドレールアセンブリは依然として自閉機能を有する。
【００３５】
そのような状態では、ユーザーは、第２の家具部２４（又は第２のレール３０）を第１の家具部２２（又は第１のレール２８）に対して第２の方向Ｄ２に沿って開くことができる。加えて、ユーザーが第２の家具部２４（又は第２のレール３０）を押して、第１の家具部２２（又は第１のレール２８）に対して第１の方向Ｄ１に沿って閉めた場合、第２の駆動装置４８の捕捉機構６０は依然として第１のレール２８の固定部５６を捕捉することができる。第２の駆動装置４８が第２の弾性力Ｆ２を放つことを通じて、第２の家具部２４（又は第２のレール３０）が駆動されて第１の家具部２２（又は第１のレール２８）に対して閉められる。
【００３６】
上述したように、本発明により、ユーザーは使用環境又は使用状況に応じてスライドレールアセンブリのプッシュオープン機能を無効にすることができ、スライドレールアセンブリは依然として自閉機能を維持することができる。
【００３７】
当業者であれば、本発明の教示を維持しながら多くの変更及び改良が装置及び方法に加えられ得ることに容易に気付く。したがって、上記の開示は、添付の請求項の範囲によってのみ限定されると解釈すべきである。
【符号の説明】
【００３８】
２０  家具アセンブリ
２２  第１の家具部
２４  第２の家具部
２６  スライドレールアセンブリ
２８  第１のレール
３０  第２のレール
３２  第３のレール
３４  拡張部
３６  運搬部
３８  スイッチ
４０  ベース
４２  開口
４４  当接機構
４６  第１の駆動装置
４８  第２の駆動装置
５０  第１の弾性部材
５２  ロック機構
５４  第２の弾性部材
５６  固定部
５８  ガイド機構
６０  捕捉機構
６２ａ、６２ｂ  経路
【図１】
2018153608.tif 000003
【図２】
2018153608.tif 000004
【図３】
2018153608.tif 000005
【図４】
2018153608.tif 000006
【図５】
2018153608.tif 000007
【図６】
2018153608.tif 000008
【図７】
2018153608.tif 000009
【図８】
2018153608.tif 000010
【図９】
2018153608.tif 000011
【図１０】
2018153608.tif 000012
【図１１】
2018153608.tif 000013
【図１２】
2018153608.tif 000014
【図１３】
2018153608.tif 000015
【図１４】
2018153608.tif 000016
【図１５】
2018153608.tif 000017